(57)【要約】【課題】天面壁（４）に形成されている沈降部（３６）の所定部位にストロー（５４）を挿通することができる形態の合成樹脂製容器蓋（２）において、ストローの先端を充分容易に沈降部の所定部位に位置付けることができると共に、ストローの先端を一旦所定位置に位置せしめるとストローの先端が容易に変位してしまうことが回避されるようにせしめる。【解決手段】沈降部における主破断可能薄肉ライン（３８）よりも半径方向外側領域の上面を少なくとも部分的に半径方向内側に向かって下方に傾斜せしめると共に、沈降部における主破断可能薄肉ラインよりも半径方向外側領域の上面に少なくとも１個の拘束隆起部（４６）を配設する。拘束隆起部は水平に対して８０度乃至１００度である傾斜角θをなす拘束内側面（４８）を有する。【選択図】        図３
2004269030.tif 000002
【特許請求の範囲】
【請求項１】
天面壁と該天面壁の周縁から垂下するスカート壁とを有する合成樹脂製容器蓋において、該天面壁の上面には円形沈降部が形成されており、該沈降部内にはその中央領域を少なくとも円弧状に延びる主破断可能薄肉ラインと周方向に間隔をおいて該主破断可能薄肉ラインから該沈降部の周縁まで放射状に延びる少なくとも一対の放射状破断可能薄肉ラインが形成されており、該沈降部における該主破断可能薄肉ラインよりも半径方向外側領域の上面は少なくとも部分的に半径方向内側に向かって下方に傾斜せしめられていると共に、該沈降部における該主破断可能薄肉ラインよりも半径方向外側領域の上面には少なくとも１個の拘束隆起部が配設されており、該拘束隆起部は該主破断可能薄肉ラインに近接して上方に延びる拘束内側面を有し、該拘束内側面は水平に対して８０度乃至１００度である傾斜角θをなす、ことを特徴とする合成樹脂製容器蓋。
【請求項２】
該放射状破断可能薄肉ラインは周方向に間隔をおいて５乃至１０個配設されている、請求項１記載の合成樹脂製容器蓋。
【請求項３】
該放射状破断可能薄肉ラインにおける、隣接する特定の一対間において、該沈降部の上面には該拘束隆起部が存在せず、該主破断可能薄肉ラインを跨いで半径方向に延びる連結隆起部が配設されており、該主破断可能薄肉ラインは少なくとも該特定の一対間以外の全領域を連続して延びている、請求項２記載の合成樹脂製容器蓋。
【請求項４】
該特定の一対間を除いて、該放射状破断可能薄肉ライン間の各々において、該沈降部の上面には該拘束隆起部が夫々配設されており、該放射状破断可能薄肉ライン上には該拘束隆起部が存在しない、請求項３記載の合成樹脂製容器蓋。
【請求項５】
該沈降部における該主破断可能薄肉ラインよりも半径方向外側領域は、該連結隆起部を除いて、該拘束隆起部の上面と該拘束隆起部以外の上面との双方が半径方向内側に向かって下方に傾斜せしめられている、請求項４記載の合成樹脂製容器蓋。
【請求項６】
該沈降部の外周縁に沿って延びる円形外側薄肉ラインが形成されている、請求項１から５までのいずれかに記載の合成樹脂製容器蓋。
【請求項７】
該主破断可能薄肉ラインの内側領域において該沈降部の上面は略半球状である、請求項１から６までのいずれかに記載の合成樹脂製容器蓋。
【発明の詳細な説明】
【０００１】
【発明の属する技術分野】
本発明は、飲料用容器の口頸部に適用される合成樹脂製容器蓋、更に詳しくは、容器の口頸部から容器蓋を離脱することなく容器蓋の天面壁にストローを挿通せしめ、ストローを通して容器内の飲料を吸引することができる合成樹脂製容器蓋に関する。
【０００２】
【従来の技術】
下記特許文献１及び２には、飲料用容器の口頸部に適用される合成樹脂製容器蓋が開示されている。かかる容器蓋は天面壁とこの天面壁の周縁から垂下するスカート壁とを有する。天面壁の上面には円形沈降部が形成されており、この沈降部内にはストローによって破断されストローの挿通を可能にする破断可能ラインが配設されている。従って、天面壁を挿通せしめてストローを容器内に進入せしめて、容器内に収容されている飲料を吸引することができる。また、所望に応じて、容器の口頸部から容器蓋を離脱せしめて容器内の飲料を消費することもできる。
【０００３】
【特許文献１】
特開平２００２−２０５７５６公報
【特許文献２】
特開平２００２−２５５２０３公報
【０００４】
【発明が解決しようとする課題】
而して、本発明者らの経験によれば、上記特許文献１及び２に記載された容器蓋においては、天面壁を通してストローを挿通せしめる際には沈降部における所定部位にストローの先端を充分正確に位置せしめることが必要であるが、ストローの先端の位置付けが必ずしも容易でなく、そしてまた沈降部における所定位置にストローの先端を一旦位置せしめた場合でもストローの先端が所定位置から容易に変位してしまう、という問題があることが判明している。
【０００５】
本発明は上記事実に鑑みてなされたものであり、その主たる技術的課題は、天面壁の上面に配設されてる沈降部の形態に改良を加えて、ストローの先端を充分容易に沈降部の所定部位に位置付けることができると共に、ストローの先端を一旦所定位置に位置せしめるとストローの先端が容易に変位してしまうことが回避されるようにせしめた合成樹脂製容器蓋を提供することである。
【０００６】
【課題を解決するための手段】
本発明によれば、上記主たる技術的課題を解決するための合成樹脂製容器蓋として、天面壁と該天面壁の周縁から垂下するスカート壁とを有する合成樹脂製容器蓋において、該天面壁の上面には円形沈降部が形成されており、該沈降部内にはその中央領域を少なくとも円弧状に延びる主破断可能薄肉ラインと周方向に間隔をおいて該主破断可能薄肉ラインから該沈降部の周縁まで放射状に延びる少なくとも一対の放射状破断可能薄肉ラインが形成されており、該沈降部における該主破断可能薄肉ラインよりも半径方向外側領域の上面は少なくとも部分的に半径方向内側に向かって下方に傾斜せしめられていると共に、該沈降部における該主破断可能薄肉ラインよりも半径方向外側領域の上面には少なくとも１個の拘束隆起部が配設されており、該拘束隆起部は該主破断可能薄肉ラインに近接して上方に延びる拘束内側面を有し、該拘束内側面は水平に対して８０度乃至１００度である傾斜角θをなす、ことを特徴とする合成樹脂製容器蓋が提供される。
【０００７】
本発明によって提供されるかような合成樹脂製容器蓋においては、ストローの先端を沈降部内に挿入しさえすれば、半径方向内側に向かって下方に傾斜せしめられている半径方向外側領域の上面による案内作用によってストローの先端が主破断可能薄肉ラインに合致する位置に案内され、そしてかかる位置に一旦案内されると主破断可能薄肉ラインに近接して上方に延びる拘束隆起部の内側面による拘束作用によってストローの先端が所定位置から変位することが阻止される。
【０００８】
該放射状破断可能薄肉ラインは周方向に間隔をおいて５乃至１０個配設されているのが好適である。好ましくは、該放射状破断可能薄肉ラインにおける、隣接する特定の一対間において、該沈降部の上面には該拘束隆起部が存在せず、該主破断可能薄肉ラインを跨いで半径方向に延びる連結隆起部が配設されており、該主破断可能薄肉ラインは少なくとも該特定の一対間以外の全領域を連続して延びている。該特定の一対間を除いて、該放射状破断可能薄肉ライン間の各々において、該沈降部の上面には該拘束隆起部が夫々配設されており、該放射状破断可能薄肉ライン上には該拘束隆起部が存在しないのが好適である。該沈降部における該主破断可能薄肉ラインよりも半径方向外側領域は、該連結隆起部を除いて、該拘束隆起部の上面と該拘束隆起部以外の上面との双方が半径方向内側に向かって下方に傾斜せしめられているのが好ましい。該沈降部の外周縁に沿って延びる円形外側薄肉ラインが形成されているのが好適である。好ましくは、該主破断可能薄肉ラインの内側領域において該沈降部の上面は略半球状である。
【０００９】
【発明の実施の形態】
以下、本発明に従って構成された合成樹脂製容器蓋の好適実施形態を図示している添付図面を参照して、更に詳細に説明する。
【００１０】
図１乃至図３を参照して説明すると、ポリエチレン或いはポリプロピレンの如き適宜の合成樹脂から一体に成形することができる、全体を番号２で示す容器蓋は、円形天面壁４とこの天面壁４の周縁から垂下する略円筒形状のスカート壁６とを有する。スカート壁６の外周面には下方に向かって半径方向下方に傾斜する円錐台形状部８が形成されている。そして、この円錐台形状部８の上方において、スカート壁６の外周面には周方向に間隔をおいて軸線方向に延びる多数の滑り止め突条１０が形成されている。円錐台形状部８の直ぐ下方には周方向破断可能ライン１２が配設されており、スカート壁６は周方向破断可能ライン１２よりも上方の主部１４と周方向破断可能ライン１２よりも下方のタンパーエビデント裾部１６とに区画されている。スカート壁６の内周面には下方を向いた環状肩面１８が形成されており、かかる環状肩面１８から下方に延びる突条２０が周方向に適宜の間隔をおいて複数個形成されている。上記周方向破断可能ライン１２は、突条２０の軸線方向中間部において、スカート壁６の外周面から切断刃（図示していない）を作用せしめて、突条２０の少なくとも一部を残留せしめてスカート壁６を切断することによって形成されている。突条２０の各々の切断されることなく残留せしめられた部分が所謂橋絡部を構成し、タンパーエビデント裾部１６は複数個の橋絡部を介して主部１４に接続されている。
【００１１】
スカート壁６の主部１４の内周面には雌螺条２２が形成されている。かかる雌螺条２２には、周方向に間隔をおいて軸線方向に延びる通気用切欠２４が形成されている。タンパーエビデント裾部１６の内周面には係止手段２６が形成されている。図示の実施形態における係止手段２６は、周方向に間隔をおいて配設され半径方向内方に向かって上方に傾斜して延びる複数個の突出片２８から形成されている。
【００１２】
天面壁４の内面における外周領域には内側円筒状シール片３０、外側円筒状シール片３２及び環状当接片３４が形成されている。内側円筒状シール片３０は天面壁４の内面から下方に向かって半径方向外方に幾分傾斜して延出している。外側円筒状シール片３２は内側円筒状シール片３０から半径方向外方に所定距離離間せしめて配置されており、天面壁４の内面から略鉛直に下方に延出せしめられている。環状当接片３４は内側円筒状シール片３０の直ぐ外側に位置せしめられており、天面壁４の内面から下方に向かって凸状に膨出せしめられている。
【００１３】
図２及び図３と共に図４を参照して説明を続けると、天面壁４の上面には沈降部３６が配設されている。図示の実施形態においては、沈降部３６は天面壁４の中央領域に配置されている。そして、この沈降部３６の中央には円形状である主破断可能薄肉ライン３８が形成されている。沈降部３６には、更に、主破断可能薄肉ライン３８から沈降部３６の周縁まで周方向に間隔をおいて放射状に延びる複数個、図示の実施形態においては８個の放射状破断可能薄肉ライン４０ａ〜ｈが形成され、そしてまた沈降部３６の外周縁に沿って延びる、従って複数個の放射状破断可能薄肉ライン４０ａ〜ｈの外側端を接続している円形外側薄肉ライン４２が形成されている。主破断可能薄肉ライン３８及び複数個の放射状破断可能薄肉ライン４０ａ〜ｈの厚さは０．２０ｍｍ程度でよく、外側薄肉ライン４２の厚さは０．２０ｍｍよりも幾分厚く０．２５乃至０．３ｍｍ程度でよい。複数個の放射状破断可能薄肉ライン４０ａ〜ｈのうちの隣接する特定の一対４０ａ及び４０ｂ間においては、上記主破断可能薄肉ライン３８を跨いで延びる連結隆起部４４が形成されている。かかる連結隆起部４４は周方向両側面が傾斜面である山形でよい。
【００１４】
本発明に従って構成された容器蓋２においては、沈降部３６における上記主破断可能薄肉ライン３８よりも半径方向外側領域の上面は少なくとも部分的に半径方向内側に向かって下方に傾斜する円錐台形状であると共に、沈降部３６における上記主破断可能薄肉ライン３８よりも半径方向外側領域の上面には少なくとも１個の拘束隆起部４６が配設されていることが重要である。図示の実施形態においては、沈降部３６における上記主破断可能薄肉ライン３８よりも半径方向外側領域における、上記連結隆起部４４が形成されている特定の一対の放射状破断可能薄肉ライン４０ａ及び４０ｂ間を除いて、放射状破断可能薄肉ライン４０ａ〜４０ｈの隣接する領域間、即ち放射状破断可能薄肉ライン４０ｂ及び４０ｃ間、４０ｃ及び４０ｄ間、４０ｄ及び４０ｅ間、４０ｅ及び４０ｆ間、４０ｆ及び４０ｇ間、４０ｇ及び４０ｈ間並びに４０ｈ及び４０ａ間の各々の上面には夫々拘束隆起部４６が形成されている。そして、かかる拘束隆起部４６の各々の上面が半径方向内側に向かって下方に傾斜角度α１をなして傾斜せしめられ、また拘束隆起部４６が配設されていない領域即ち放射状破断可能薄肉ライン４０ａ〜４０ｈが形成されている領域の上面も半径方向内側に向かって下方に傾斜角度α２をなして傾斜せしめられている。傾斜角度α１及びα２は２５乃至３５度程度であるのが好ましい。拘束隆起部４６の各々は、主破断可能薄肉ライン３８に近接して上方に延びる拘束内側面４８を有し、かかる内側拘束面４８は水平に対して８０乃至１００度である角度θをなす切り立った面であることが重要である。沈降部３６における上記主破断可能薄肉ライン３８の内側領域の上面は略半球状であるのが好ましい。
【００１５】
図３には容器蓋２が適用される容器の口頸部４９も図示されている。ポリエチレンテレフタレートの如き適宜の合成樹脂或いはガラスから形成することができる容器の口頸部４９は全体として円筒形状である。口頸部４９の外周面には雄螺条５０及びこの雄螺条５０の下方に位置する係止あご部５２が形成されている。口頸部４９に容器蓋２を装着して口頸部４９を密封する際には、口頸部４９に容器蓋２被嵌して閉方向、即ち上方から見て時計方向に回転せしめる。かくすると、容器蓋２の雌螺条２２が口頸部４９の雄螺条５０に螺合せしめられ、容器蓋２は口頸部４９に沿って下降せしめられる。タンパーエビデント裾部１６に形成されている係止手段２６は口頸部４９の係止あご部５２を弾性的に乗り越えて係止あご部５２に係止せしめられる。容器蓋２の天面壁４の内面に形成されている内側円筒状シール片３０は口頸部４９内に進入して口頸部４９の内周面に密接せしめられ、外側円筒状シール片３２は口頸部４９の外周面上端部に密接せしめられ、環状当接片３４は口頸部４９の頂面に当接せしめられ、かくして口頸部４９が密封される。
【００１６】
容器内に収容されている飲料をストローを通して吸引する際には、図３及び図４に二点鎖線で示す如く、ストロー５４の先端を沈降部３６内に進入せしめて、主破断可能薄肉ライン３８に合致せしめる。この際には、沈降部３６における主破断可能薄肉ライン３８よりも外側領域の上面、更に詳しくは拘束隆起部４６の上面及び放射状破断可能薄肉ライン４０ａ〜４０ｈが形成されている領域の上面が半径方向内方に向かって下方に傾斜せしめられている故に、ストロー５４の先端を沈降部３６内に進入せしめさえすれば、傾斜上面の案内作用によってストロー５４の先端が主破断可能薄肉ライン３８に案内せしめられ、従って充分容易にストロー５４の先端を主破断可能薄肉ライン３８に位置付けることができる。沈降部３６における主破断可能薄肉ライン３８の内側領域の上面が略半球状であることも、ストロー５４の先端主破断可能薄肉ライン３８に合致せしめるのを助長する。そしてまた、ストロー５４の先端が一旦主破断可能ライン３８に合致せしめられると、ストロー５４の先端が拘束隆起部４６の拘束内側面４８に対向して位置せしめられ、従って例えばストロー５４を傾斜せしめて半径方向外方に強制する力を加えたとしても、スロトー５４の先端は拘束内側面４８によって拘束され、半径方向外方に変位せしめられてしまうことが充分確実に阻止される。
【００１７】
ストロー５４の先端を沈降部３６における主破断可能薄肉ライン３８に合致せしめた後にストロー５４を下方に強制すると、主破断可能薄肉ライン３８が連結隆起部４４が形成されている部分、即ち放射状破断可能薄肉ライン４０ａ及び４０ｂの間を除いて破断され、そしてまた複数個の放射状破断可能薄肉ライン４０ａ〜４０ｈのうちの数本が破断される。かくすると、主破断可能薄肉ライン３８の内側領域が下方に変位されてストロー５４が容器内に挿通せしめられる。更にまた、主破断可能薄肉ライン３８の外側領域も破断された放射状破断可能薄肉ライン４０ａ〜ｈ間にて外側薄肉ライン４２を旋回軸線として下方に変位され、容器内に空気が導入される開口が生成される。本発明に従って構成された図示の容器蓋２においては、主破断可能薄肉ライン３８から放射状に延びる複数個の放射状破断可能ライン４０ａ〜ｈが形成されている故に、ストロー５４が沈降部３６に対して幾分偏心して位置せしめられたとしても、複数個の放射状破断可能ライン４０ａ〜４０ｈのいずれか数本が確実に破断され、容器内に空気を導入するための開口が形成される。図示の実施形態においては、放射状破断可能薄肉ライン４０ａ及び４０ｂ間には連結隆起部４４が配置されていることに起因して、他の放射状破断可能薄肉ライン４０ｃ〜ｈに比べ放射状破断可能薄肉ライン４０ａ及び４０ｂが破断される確率が高いことが判明している。放射状破断可能薄肉ライン４０ｃ〜ｈを省略して一対の放射状破断可能薄肉ライン４０ａ及び４０ｂのみを形成することもできるが、周方向に間隔をおいて５乃至１０個の放射状破断可能薄肉ラインが形成されているのが好ましい。本発明者等の経験によれば、一対の放射状破断可能薄肉ライン４０ａ及び４０ｂしか形成されていない場合には、かかる一対の放射状破断可能薄肉ライン４０ａ及び４０ｂが破断されないことが少なくない。
【００１８】
本発明に従って構成された図示の容器蓋２においては、一対の放射状破断可能薄肉ライン４０ａ及び４０ｂ間においては主破断可能薄肉ライン３８を跨がって延びる連結隆起部４４が配設されている故に、一対の放射状破断可能薄肉ライン４０ａ及び４０ｂ間において主破断可能薄肉ライン３８が破断されることはなく、主破断可能薄肉ライン３８がその全体に渡って破断され主破断可能薄肉ライン３８の内側領域が切り離されて容器内に落ち込むことはないことも注目されるべきである。
【００１９】
本発明に従って構成された図示の容器蓋２においては、所望ならば、容器の口頸部４９から容器蓋２を離脱せしめて容器内の飲料を消費することもできる。この場合には、容器蓋２を開方向、即ち図３において上方から見て反時計方向に回転せしめる。かくすると、タンパーエビデント裾部１６はその内周面に形成されている係止手段２６が口頸部４９の係止あご部５２に係止されている故に上昇が阻止されるが、容器蓋２のその他の部分は雄螺条５０と雌螺条２２の螺合が解除されるに従って上昇せしめられる。従って、スカート壁６に形成されている周方向破断可能ライン１２が破断され、タンパーエビデント裾部１６がスカート壁６の主部１４から分離される。しかる後においては、タンパーエビデント裾部１６以外に部分は回転と共に自由に上昇せしめられて口頸部４９から離脱され、かくして口頸部４９が開封される。
【００２０】
以上、添付図面を参照して図示の実施形態について詳細に説明したが、本発明はかかる実施形態に限定されるものではなく、本発明の範囲から逸脱することなく種々の変形乃至修正が可能であることが理解されるべきである。例えば、図示に実施形態においては、主破断可能薄肉ライン３８は円形状であるが、所望ならば一対の放射状破断可能ライン４０ａ及び４０ｂの間においては省略して円弧状にせしめることができる。この場合には、一対の放射状破断可能ライン４０ａ及び４０ｂの間においては主破断可能薄肉ライン３８が存在しない故に、沈降部３６の中心部、即ち主破断可能薄肉ライン３８の内側領域が外側領域から完全に切り離される虞はなく、従って連結隆起部４４を省略することもできる。更に、スカート壁６が主部１４とタンパーエビデント裾部１６に区画されておいる特定形態の容器蓋２に関して本発明を説明したが、本発明は天面壁とスカート壁とを有する種々の形態の容器蓋に適用することができるものである。
【００２１】
【発明に効果】
本発明の容器蓋によれば、ストローの先端を充分容易に沈降部の所定部位に位置付けることができると共に、ストローの先端を一旦所定位置に位置せしめるとストローの先端が容易に変位してしまうことが回避される。
【図面の簡単な説明】
【図１】本発明に従って構成された容器蓋の好適実施形態を、一部を断面で示す正面図。
【図２】図１に示す容器蓋の平面図。
【図３】図１に示す容器蓋の断面図。
【図４】図１に示す容器蓋の天面壁の中央領域を示す拡大断面図。
【符号の説明】
２：容器蓋
４：天面壁
６：スカート壁
３６：沈降部
３８：主破断可能薄肉ライン
４０ａ〜ｈ：放射状破断可能薄肉ライン
４２：外側薄肉ライン
４４：連結隆起部
４６：拘束隆起部
４８：拘束内側面
４９：容器の口頸部
５４：ストロー
【図１】
2004269030.tif 000003
【図２】
2004269030.tif 000004
【図３】
2004269030.tif 000005
【図４】
2004269030.tif 000006